(57)【要約】【課題】コンテンツに連動し、かつ、エコに関する情報を提供できるサーバ、システム及び方法を提供すること。【解決手段】配信サーバ１０は、コンテンツの特徴語を抽出する特徴語抽出部１１と、エコ分野に関する語句が含まれるＷｅｂページへのリンクデータと関連付けて、予め記憶されたエコの度合いを示すエコ・ウェイト、及び当該Ｗｅｂページの特徴語を参照し、抽出された特徴語と参照された特徴語とが所定以上の一致度を持ち、かつ、所定値以上のエコ・ウェイトが付与されたＷｅｂページを抽出するエコ情報抽出部１２と、抽出されたＷｅｂページへのリンクデータを、コンテンツに付加し、端末３０へ送信するエコ情報送信部１３と、を備える。【選択図】図３
2010044476.tif 000002
【特許請求の範囲】
【請求項１】
端末で閲覧されるコンテンツに関連する情報を提供するサーバであって、
前記コンテンツの特徴語を抽出する特徴語抽出手段と、
エコ分野に関する語句が含まれるＷｅｂページへのリンクデータと関連付けて、予め記憶されたエコの度合いを示すエコ・ウェイトおよび当該Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与されたＷｅｂページを抽出するページ抽出手段と、
前記ページ抽出手段により抽出されたＷｅｂページへのリンクデータを、前記コンテンツに付加し、前記端末へ送信する送信手段と、を備えるサーバ。
【請求項２】
前記エコ分野に関する語句と、当該語句に対するウェイトとを関連付けて記憶する語句記憶手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶されたウェイトを参照し、当該Ｗｅｂページに対する前記エコ・ウェイトを算出する算出手段と、
前記算出手段により算出されたエコ・ウェイトおよび前記Ｗｅｂページの特徴語を、当該Ｗｅｂページへのリンクデータと関連付けて記憶するページ記憶手段と、をさらに備える請求項１に記載のサーバ。
【請求項３】
複数のＷｅｂページを定期的に参照し、当該Ｗｅｂページのテキストデータを取得する取得手段をさらに備える請求項２に記載のサーバ。
【請求項４】
前記参照手段は、前記Ｗｅｂページの特徴語それぞれに対する重要度を示すインデキシング・ウェイトをさらに参照し、
前記ページ抽出手段は、前記一致度に基づいて算出されるインデキシング・ウェイトの総合ポイントおよび、前記エコ・ウェイトに関する所定の条件を満たすＷｅｂページを抽出することを特徴とする請求項１から請求項３のいずれかに記載のサーバ。
【請求項５】
前記送信手段は、前記Ｗｅｂページへのリンクデータと共に、当該Ｗｅｂページから抽出されたテキストを、当該リンクデータのタイトルとして送信することを特徴とする請求項１から請求項４のいずれかに記載のサーバ。
【請求項６】
前記送信手段は、前記Ｗｅｂページから、前記エコ分野に関する語句を含む当該語句の近辺のテキストデータを抽出して送信することを特徴とする請求項５に記載のサーバ。
【請求項７】
Ｗｅｂページを検索する検索サーバと、端末で閲覧されるコンテンツに関連する情報を提供する配信サーバと、を備えたシステムであって、
前記検索サーバは、
エコ分野に関する語句と、当該語句に対するウェイトとを関連付けて記憶する語句記憶手段と、
複数のＷｅｂページを定期的に参照し、当該Ｗｅｂページのテキストデータを取得する取得手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶されたウェイトを参照し、当該Ｗｅｂページにおける総合ポイントとして、エコの度合いを示すエコ・ウェイトを算出する算出手段と、
前記算出手段により算出されたエコ・ウェイトおよび前記Ｗｅｂページの特徴語を、当該Ｗｅｂページへのリンクデータと関連付けて記憶するページ記憶手段と、を備え、
前記配信サーバは、
前記コンテンツの特徴語を抽出する特徴語抽出手段と、
前記ページ記憶手段により記憶されたエコ・ウェイトおよび前記Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与されたＷｅｂページを抽出するページ抽出手段と、
前記ページ抽出手段により抽出されたＷｅｂページへのリンクデータを、前記コンテンツに付加し、前記端末へ送信する送信手段と、を備えるシステム。
【請求項８】
前記ページ記憶手段は、前記Ｗｅｂページの特徴語それぞれに対する重要度を示すインデキシング・ウェイトをさらに記憶し、
前記ページ抽出手段は、前記一致度に基づいて算出されるインデキシング・ウェイトの総合ポイントおよび、前記エコ・ウェイトに関する所定の条件を満たすＷｅｂページを抽出することを特徴とする請求項７に記載のシステム。
【請求項９】
前記送信手段は、前記Ｗｅｂページへのリンクデータと共に、当該Ｗｅｂページから抽出されたテキストを、当該リンクデータのタイトルとして送信することを特徴とする請求項７または請求項８に記載のシステム。
【請求項１０】
前記送信手段は、前記Ｗｅｂページから、前記エコ分野に関する語句を含む当該語句の近辺のテキストデータを抽出して送信することを特徴とする請求項９に記載のシステム。
【請求項１１】
端末で閲覧されるコンテンツに関連する情報をコンピュータが提供する方法であって、
予め、エコ分野に関する語句が含まれるＷｅｂページに対して、エコの度合いを示すエコ・ウェイトを付与し、当該Ｗｅｂページの特徴語と共に当該Ｗｅｂページへのリンクデータと関連付けて記憶するページ記憶ステップと、
前記コンテンツの特徴語を抽出する特徴語抽出ステップと、
前記特徴語抽出ステップにより抽出された特徴語と前記ページ記憶ステップにより記憶された特徴語とが所定以上の一致度を持ち、かつ所定値以上の前記エコ・ウェイトが付与されたＷｅｂページを抽出するページ抽出ステップと、
前記ページ抽出ステップにより抽出されたＷｅｂページへのリンクデータを、前記コンテンツに付加し、前記端末へ送信する送信ステップと、を含む方法。
【発明の詳細な説明】
【技術分野】
【０００１】
本発明は、端末で閲覧されるコンテンツに関連する情報を提供するするサーバ、システム、および方法に関する。
【背景技術】
【０００２】
従来、インターネットによる情報配信の形態として、例えば、入力された検索キーワードに関連する広告を検索結果ページに表示させる検索連動型広告や、Ｗｅｂページのコンテンツを解析し、コンテンツの内容に関連した広告をＷｅｂページに表示させるコンテンツマッチ型広告等のサービスが知られている。
【０００３】
このような状況において、より適切な広告配信を行うために、様々な方法が提案されている。例えば、特許文献１には、コンテンツのキーワードに加えて、クリック状況や流行等の条件に合わせて広告を提供する方法が提案されている。
【特許文献１】特開２００８−１０２１７４号公報
【発明の開示】
【発明が解決しようとする課題】
【０００４】
ところで、近年、エコ（環境保全）に関する人々の関心が急速に高まってきている。そのため、環境に優しいエコ商品や行動が推奨され、多くの人々に共通の需要として、このようなエコに関する情報の提供が望まれている。
【０００５】
しかしながら、従来のコンテンツマッチ型広告では、ユーザ個人の嗜好に連動した情報を提供するのみで、コンテンツに表れない需要に連動した情報（例えば、上記のエコに関する情報）を提供することは難しかった。
【０００６】
そこで本発明は、コンテンツに連動し、かつエコに関する情報を提供できるサーバ、システム、および方法を提供することを目的とする。
【課題を解決するための手段】
【０００７】
本発明では、以下のような解決手段を提供する。
【０００８】
（１）  端末で閲覧されるコンテンツに関連する情報を提供するサーバであって、
前記コンテンツの特徴語を抽出する特徴語抽出手段と、
エコ分野に関する語句が含まれるＷｅｂページへのリンクデータと関連付けて、予め記憶されたエコの度合いを示すエコ・ウェイトおよび当該Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与されたＷｅｂページを抽出するページ抽出手段と、
前記ページ抽出手段により抽出されたＷｅｂページへのリンクデータを、前記コンテンツに付加し、前記端末へ送信する送信手段と、を備えるサーバ。
【０００９】
このような構成によれば、当該サーバは、コンテンツの特徴語を抽出し、エコ分野に関する語句が含まれるＷｅｂページへのリンクデータと関連付けて、予め記憶されたエコの度合いを示すエコ・ウェイトおよび当該Ｗｅｂページの特徴語を参照し、抽出されたコンテンツの特徴語と参照されたＷｅｂページの特徴語とが所定以上の一致度を持ち、かつ所定値以上のエコ・ウェイトが付与されたＷｅｂページを抽出し、抽出されたＷｅｂページへのリンクデータを、コンテンツに付加し、端末へ送信する。
【００１０】
このことにより、当該サーバは、コンテンツと特徴語が一致または類似し、かつ、エコの度合いが高いＷｅｂページを抽出し、コンテンツに付加してユーザに提供することができる。したがって、例えば、ユーザが閲覧しているＷｅｂページ（コンテンツ）の内容に連動し、かつエコに関する情報（エコ商品やエコな行動等）が推薦情報として表示される。その結果、ユーザは、コンテンツに表れない暗黙の需要に応えたエコ情報を得ることができる。
【００１１】
（２）  前記エコ分野に関する語句と、当該語句に対するウェイトとを関連付けて記憶する語句記憶手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶されたウェイトを参照し、当該Ｗｅｂページに対する前記エコ・ウェイトを算出する算出手段と、
前記算出手段により算出されたエコ・ウェイトおよび前記Ｗｅｂページの特徴語を、当該Ｗｅｂページへのリンクデータと関連付けて記憶するページ記憶手段と、をさらに備える（１）に記載のサーバ。
【００１２】
このような構成によれば、当該サーバは、エコ分野に関する語句と、当該語句に対するウェイトとを関連付けて記憶し、Ｗｅｂページのテキストデータを解析し、当該Ｗｅｂページに含まれる語句を抽出し、抽出された語句それぞれについて、記憶されたウェイトを参照し、当該Ｗｅｂページに対するエコ・ウェイトを算出し、算出されたエコ・ウェイトおよびＷｅｂページの特徴語を、当該Ｗｅｂページへのリンクデータと関連付けて記憶する。
【００１３】
このことにより、当該サーバは、エコ分野に関する語句をウェイトと共に記憶するので、Ｗｅｂページに含まれる当該語句のウェイトの積算値等により、当該Ｗｅｂページに付与されるエコ・ウェイトを算出することができる。したがって、当該サーバは、Ｗｅｂページのエコの度合いを示すエコ・ウェイトを、自動的に算出して記憶することができる。
【００１４】
（３）  複数のＷｅｂページを定期的に参照し、当該Ｗｅｂページのテキストデータを取得する取得手段をさらに備える（２）に記載のサーバ。
【００１５】
このような構成によれば、当該サーバは、複数のＷｅｂページを定期的に参照（クロール）するので、予めエコ情報の候補としてのＷｅｂページを収集し、当該Ｗｅｂページのテキストデータに基づいて、エコ・ウェイトを算出することができる。したがって、ユーザが閲覧するコンテンツに対して、即座に適切なエコ関連情報を提供できる可能性がある。
【００１６】
（４）  前記ページ記憶手段は、前記Ｗｅｂページの特徴語それぞれに対する重要度を示すインデキシング・ウェイトをさらに記憶し、
前記ページ抽出手段は、前記一致度に基づいて算出されるインデキシング・ウェイトの総合ポイントおよび、前記エコ・ウェイトに関する所定の条件を満たすＷｅｂページを抽出することを特徴とする（１）から（３）のいずれかに記載のサーバ。
【００１７】
このような構成によれば、当該サーバは、Ｗｅｂページの特徴語それぞれに対する重要度を示すインデキシング・ウェイトをさらに記憶し、特徴語の一致度に基づいて算出されるインデキシング・ウェイトの総合ポイントおよび、エコ・ウェイトに関する所定の条件を満たすＷｅｂページを抽出する。
【００１８】
このことにより、当該サーバは、一致または類似した特徴語のインデキシング・ウェイトを積算する等して算出された総合ポイントと、エコ・ウェイトと、に関して所定の条件を予め設定しておくことにより、この条件を満たすＷｅｂページを提供することができる。したがって、当該サーバは、コンテンツマッチによる評価と、エコ度による評価と、を適宜調整して、提供する情報の種類や優先度を設定することができる。
【００１９】
（５）  前記送信手段は、前記Ｗｅｂページへのリンクデータと共に、当該Ｗｅｂページから抽出されたテキストを、当該リンクデータのタイトルとして送信することを特徴とする（１）から（４）のいずれかに記載のサーバ。
【００２０】
このような構成によれば、当該サーバは、端末へ送信されるリンクデータに対して、Ｗｅｂページから抽出されたタイトル情報を付加して送信する。したがって、ユーザは、提供されたＷｅｂページの内容をすぐに把握することができるので、必要な情報を容易に選択し、詳細情報を取得できる。
【００２１】
（６）  前記送信手段は、前記Ｗｅｂページから、前記エコ分野に関する語句を含む当該語句の近辺のテキストデータを抽出して送信することを特徴とする（５）に記載のサーバ。
【００２２】
このような構成によれば、当該サーバは、端末へ送信されるリンクデータに付加されるタイトル情報として、エコ分野に関する語句を含む当該語句の近辺のテキストデータを抽出する。したがって、ユーザは、提供されたリンクが、エコに関するどのような情報であるかをすぐに把握することができる。したがって、ユーザは、必要な情報を容易に選択し、エコに関する詳細情報を取得できる。
【００２３】
（７）  Ｗｅｂページを検索する検索サーバと、端末で閲覧されるコンテンツに関連する情報を提供する配信サーバと、を備えたシステムであって、
前記検索サーバは、
エコ分野に関する語句と、当該語句に対するウェイトとを関連付けて記憶する語句記憶手段と、
複数のＷｅｂページを定期的に参照し、当該Ｗｅｂページのテキストデータを取得する取得手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶されたウェイトを参照し、当該Ｗｅｂページにおける総合ポイントとして、エコの度合いを示すエコ・ウェイトを算出する算出手段と、
前記算出手段により算出されたエコ・ウェイトおよび前記Ｗｅｂページの特徴語を、当該Ｗｅｂページへのリンクデータと関連付けて記憶するページ記憶手段と、を備え、
前記配信サーバは、
前記コンテンツの特徴語を抽出する特徴語抽出手段と、
前記ページ記憶手段により記憶されたエコ・ウェイトおよび前記Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与されたＷｅｂページを抽出するページ抽出手段と、
前記ページ抽出手段により抽出されたＷｅｂページへのリンクデータを、前記コンテンツに付加し、前記端末へ送信する送信手段と、を備えるシステム。
【００２４】
このような構成によれば、当該システムを運用することにより、（１）〜（３）と同様の効果が期待できる。
【００２５】
（８）  前記ページ記憶手段は、前記Ｗｅｂページの特徴語それぞれに対する重要度を示すインデキシング・ウェイトをさらに記憶し、
前記ページ抽出手段は、前記一致度に基づいて算出されるインデキシング・ウェイトの総合ポイントおよび、前記エコ・ウェイトに関する所定の条件を満たすＷｅｂページを抽出することを特徴とする（７）に記載のシステム。
【００２６】
このような構成によれば、当該システムを運用することにより、（４）と同様の効果が期待できる。
【００２７】
（９）  前記送信手段は、前記Ｗｅｂページへのリンクデータと共に、当該Ｗｅｂページから抽出されたテキストを、当該リンクデータのタイトルとして送信することを特徴とする（７）または（８）に記載のシステム。
【００２８】
このような構成によれば、当該システムを運用することにより、（５）と同様の効果が期待できる。
【００２９】
（１０）  前記送信手段は、前記Ｗｅｂページから、前記エコ分野に関する語句を含む当該語句の近辺のテキストデータを抽出して送信することを特徴とする（９）に記載のシステム。
【００３０】
このような構成によれば、当該システムを運用することにより、（６）と同様の効果が期待できる。
【００３１】
（１１）  端末で閲覧されるコンテンツに関連する情報をコンピュータが提供する方法であって、
予め、エコ分野に関する語句が含まれるＷｅｂページに対して、エコの度合いを示すエコ・ウェイトを付与し、当該Ｗｅｂページの特徴語と共に当該Ｗｅｂページへのリンクデータと関連付けて記憶するページ記憶ステップと、
前記コンテンツの特徴語を抽出する特徴語抽出ステップと、
前記特徴語抽出ステップにより抽出された特徴語と前記ページ記憶ステップにより記憶された特徴語とが所定以上の一致度を持ち、かつ所定値以上の前記エコ・ウェイトが付与されたＷｅｂページを抽出するページ抽出ステップと、
前記ページ抽出ステップにより抽出されたＷｅｂページへのリンクデータを、前記コンテンツに付加し、前記端末へ送信する送信ステップと、を含む方法。
【００３２】
このような構成によれば、当該方法を実行することにより、（１）と同様の効果が期待できる。
【発明の効果】
【００３３】
本発明によれば、ユーザが閲覧するコンテンツに連動し、かつエコに関する情報を提供することができる。
【発明を実施するための最良の形態】
【００３４】
以下、本発明の実施形態について図を参照しながら説明する。
【００３５】
［システム全体構成］
図１は、本実施形態に係るシステム１の構成を示す図である。システム１では、本発明のサーバとしての配信サーバ１０と、検索サーバ２０と、ユーザの端末３０と、コンテンツサーバ４０と、がネットワークを介して接続されている。
【００３６】
検索サーバ２０は、コンテンツサーバ４０にて管理されているＷｅｂページにアクセスし、このＷｅｂページのエコの度合いを示す指標（エコ・ウェイト）と共に、エコ情報として、このＷｅｂページへのリンクデータを記憶する。
【００３７】
配信サーバ１０は、端末３０から、ユーザが閲覧要求を行ったＷｅｂページのコンテンツデータを受信する。そして、配信サーバ１０は、受信したコンテンツに関連したエコ情報を検索サーバ２０により記憶された情報から抽出し、Ｗｅｂページに付加して端末３０へ送信する。これにより、エコ・ウェイトの高い有用な情報が、自動的に配信される。
【００３８】
なお、配信サーバ１０によるコンテンツデータの受信およびエコ情報の送信は、当該コンテンツを管理する図示しないサーバを介して行われることとしてよい。
【００３９】
［ハードウェア構成］
図２は、本実施形態に係る各サーバ（配信サーバ１０および検索サーバ２０）のハードウェア構成を示す図である。各サーバは、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００４０】
制御部３００は、各サーバを統括的に制御する部分であり、ハードディスク３７０（後述）に記憶された各種プログラムを適宜読み出して実行することにより、上述したハードウェアと協働し、本発明に係る各種機能を実現している。
【００４１】
通信Ｉ／Ｆ３３０は、各サーバが、ネットワークを介して、他の装置と情報を送受信する場合のネットワーク・アダプタである。通信Ｉ／Ｆ３３０は、モデム、ケーブル・モデムおよびイーサネット（登録商標）・アダプタを含んでよい。
【００４２】
ＢＩＯＳ３５０は、各サーバの起動時にＣＰＵ３１０が実行するブートプログラムや、各サーバのハードウェアに依存するプログラム等を記録する。
【００４３】
Ｉ／Ｏコントローラ３６０には、ハードディスク３７０、光ディスクドライブ３８０、および半導体メモリ３９０等の記憶装置４１０を接続することができる。
【００４４】
ハードディスク３７０は、本ハードウェアをサーバとして機能させるための各種プログラム、本発明の機能を実行するプログラムおよび後述するテーブル等を記憶する。なお、各サーバは、外部に別途設けたハードディスク（図示せず）を外部記憶装置として利用することもできる。
【００４５】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００４６】
なお、本発明でいうコンピュータとは、記憶装置、制御部等を備えた情報処理装置をいい、各サーバは、記憶装置４１０、制御部３００等を備えた情報処理装置により構成され、この情報処理装置は、本発明のコンピュータの概念に含まれる。
【００４７】
［機能構成］
図３は、本実施形態に係る配信サーバ１０および検索サーバ２０の機能構成を示す図である。
【００４８】
配信サーバ１０は、特徴語抽出手段としての特徴語抽出部１１と、参照手段およびページ抽出手段としてのエコ情報抽出部１２と、送信手段としてのエコ情報送信部１３と、を備える（詳細は後述する）。
【００４９】
そして、検索サーバ２０の制御部３００は、取得手段としてのクロール部２１と、解析手段としての解析部２２と、算出手段としてのエコ・ウェイト付与部２３と、を備える。また、検索サーバ２０の記憶装置４１０は、語句記憶手段としてのエコ辞書ＤＢ２４と、ページ記憶手段としてのエコページＤＢ２５と、を備える。
【００５０】
クロール部２１は、インターネット上に存在する多数のコンテンツサーバ４０により公開されているＷｅｂページへ定期的にアクセスし、参照したＷｅｂページのテキストデータを取得する。なお、クロール部２１は、同一のＷｅｂページに対しても定期的にアクセスすることにより、Ｗｅｂページが更新された場合にも、更新された新しいデータを取得することができる。
【００５１】
解析部２２は、クロール部２１により取得したＷｅｂページのテキストデータを形態素解析し、このＷｅｂページに含まれる語句を抽出する。
【００５２】
エコ・ウェイト付与部２３は、解析部２２により抽出された語句それぞれについて、エコ辞書ＤＢ２４を参照し、語句毎に予め定められたウェイトを取得する。そして、エコ・ウェイト付与部２３は、このウェイトの総合ポイントとして、Ｗｅｂページに対するエコの度合いを示すエコ・ウェイトを算出して、エコページＤＢ２５に記憶する。
【００５３】
図４は、本実施形態に係るエコ辞書ＤＢ２４に格納されたエコ用語テーブルを示す図である。エコ用語テーブルには、エコ分野に関する語句（エコ用語）と関連付けて、エコの度合いを評価するウェイトが予め記憶される。
【００５４】
図５は、本実施形態に係るエコページＤＢ２５に格納されたエコページテーブルを示す図である。エコページテーブルには、ＷｅｂページへのリンクデータとしてのＵＲＬと関連付けて、Ｗｅｂページから抽出された特徴語と、Ｗｅｂページのエコ・ウェイトと、Ｗｅｂページの内容を示すタイトルと、が記憶される。
【００５５】
ここで、特徴語は、ユーザの端末３０から取得するコンテンツとのマッチングにより関連するＷｅｂページを選択するための語句である。この特徴語は、例えば、語句の出現頻度に基づく指標であるＴＦ（Ｔｅｒｍ  Ｆｒｅｑｕｅｎｃｙ）・ＩＤＦ（Ｉｎｖｅｒｓｅ  Ｄｏｃｕｍｅｎｔ  Ｆｒｅｑｕｅｎｃｙ）等に基づいて抽出されたものであってよい。
【００５６】
また、この特徴語には、それぞれの重要度を示すインデキシング・ウェイトが記憶される。このインデキシング・ウェイトは、上記のＴＦ・ＩＤＦ等の指標であってよく、あるいは、Ｗｅｂページ上でのフォントや位置、属性（タイトル、本文等）等に基づく値であってもよい。そして、このインデキシング・ウェイトの総合ポイントにより、コンテンツマッチの際のＷｅｂページの優先度が決定される。
【００５７】
エコ・ウェイトは、エコ用語テーブル（図４）に規定されたウェイトを、Ｗｅｂページ内での出現回数に基づいて合計した値であってよい。また、Ｗｅｂページ上でのフォントや位置、属性（タイトル、本文等）等に基づいて重み付けをした値であってもよい。
【００５８】
タイトルは、Ｗｅｂページに明示的に記載されたタイトル文字列であってもよいし、表示位置やフォント等により他と区別された文字列を抽出してもよい。また、Ｗｅｂページ中のエコ用語の近辺の文字列を抽出してもよく、このことにより、エコ分野に関するＷｅｂページ上での話題が示される。この場合、例えば、最もウェイトが大きいエコ用語の前後から所定文字数の文字列を抽出する。
【００５９】
図３に戻り、配信サーバ１０の特徴語抽出部１１は、ユーザの端末３０において閲覧要求がなされたＷｅｂページのコンテンツデータを受信し、このコンテンツデータから特徴語を抽出する。なお、特徴語は、ＴＦ・ＩＤＦ等の指標に基づいて抽出されたものであってよい。
【００６０】
エコ情報抽出部１２は、エコページＤＢ２５に記憶されたＷｅｂページ毎の特徴語およびエコ・ウェイトを参照し、特徴語抽出部１１により抽出された特徴語とのマッチングと、エコ・ウェイトの大小に基づいて、関連したＷｅｂページを抽出する。
【００６１】
具体的には、マッチング（一致または類似）した特徴語のインデキシング・ウェイトの総合ポイント（例えば、合計値）が所定値以上であり、かつ、エコ・ウェイトが所定値以上であるＷｅｂページを抽出することとしてよい。これにより、端末３０にて閲覧されるコンテンツに関連し、かつエコに関するＷｅｂページが抽出される。
【００６２】
エコ情報送信部１３は、エコ情報抽出部１２により抽出されたＷｅｂページへのリンクデータ（ＵＲＬ）をタイトルと共に、受信したコンテンツデータに付加して端末３０へ送信する。
【００６３】
図６は、本実施形態に係る端末３０における画面表示例を示す図である。端末３０では、「電話機」に関するＷｅｂページが閲覧されている。このとき、ページの下部には、コンテンツの特徴語である「電話機」によりマッチングした関連Ｗｅｂページへのリンクのリストが表示される。これらの関連Ｗｅｂページは、エコ・ウェイトの大きなものから優先的に表示されている。ユーザは、このリストから選択することにより、リンク先の関連Ｗｅｂページを閲覧することができる。
【００６４】
［処理フロー］
図７は、本実施形態に係る検索サーバ２０の制御部３００における処理の流れを示すフローチャートである。
【００６５】
ステップＳ１１では、検索サーバ２０は、コンテンツサーバ４０をクロールすることにより、Ｗｅｂページそれぞれのテキストデータを取得する。
【００６６】
ステップＳ１２では、検索サーバ２０は、ステップＳ１１にて取得したテキストデータに対して形態素解析を行い、語句に分割する。
【００６７】
ステップＳ１３では、検索サーバ２０は、ステップＳ１２にて分割された語句の中から、エコ用語テーブル（図４）に記憶されているエコ用語と、Ｗｅｂページを特徴付ける特徴語と、を抽出する。
【００６８】
ステップＳ１４では、検索サーバ２０は、ステップＳ１３にて抽出されたエコ用語それぞれに設定されたウェイトを集計して、Ｗｅｂページに付与するエコ・ウェイトを算出する。
【００６９】
ステップＳ１５では、検索サーバ２０は、ステップＳ１１にて取得したテキストデータの中から、Ｗｅｂページへのリンクのタイトルとなる情報を取得する。
【００７０】
ステップＳ１６では、検索サーバ２０は、エコに関するページ情報として、ステップＳ１３にて抽出した特徴語、ステップＳ１４にて算出したエコ・ウェイト、およびステップＳ１５にて取得したタイトル情報と共に、Ｗｅｂページへのリンクデータ（ＵＲＬ）を記憶する。
【００７１】
図８は、本実施形態に係る配信サーバ１０の制御部３００における処理の流れを示すフローチャートである。
【００７２】
ステップＳ２１では、配信サーバ１０は、ユーザの端末３０から、閲覧要求のあったＷｅｂページのコンテンツデータを受信する。
【００７３】
ステップＳ２２では、配信サーバ１０は、ステップＳ２１にて受信したコンテンツデータの中から、コンテンツを特徴付ける特徴語を抽出する。
【００７４】
ステップＳ２３では、配信サーバ１０は、ステップＳ２２にて抽出した特徴語と、図７のステップＳ１６にて記憶されたエコに関するページ情報とのマッチングを行う。すなわち、エコページテーブル（図５）の特徴語のうち、コンテンツデータから抽出された語句とマッチング（一致または類似）した特徴語のインデキシング・ウェイトを取得する。
【００７５】
ステップＳ２４では、配信サーバ１０は、ステップＳ２３にて取得したインデキシング・ウェイトを集計した総合ポイントを算出する。
【００７６】
ステップＳ２５では、配信サーバ１０は、ステップＳ２４にて算出したインデキシング・ウェイトの総合ポイント、およびエコ・ウェイトに関して、所定の条件を満たすＷｅｂページを抽出する。
【００７７】
ステップＳ２６では、配信サーバ１０は、ステップＳ２５にて抽出したＷｅｂページへのリンクを、インデキシング・ウェイトの総合ポイントまたはエコ・ウェイトに基づいて順位付けする。そして、配信サーバ１０は、順位付けしたリンクを、ステップＳ２１にて受信したコンテンツデータにタイトルと共に付加し、端末３０へ送信する。
【００７８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７９】
本実施形態では、配信サーバ１０および検索サーバ２０を備えるシステム１を説明したが、これには限られない。例えば、配信サーバ１０および検索サーバ２０の機能を備える単一のサーバにて本発明を実現してもよい。また、配信サーバ１０または検索サーバ２０の機能の一部を、データベースサーバやＷｅｂサーバ等、他のサーバに分散させてもよい。
【図面の簡単な説明】
【００８０】
【図１】本発明の実施形態に係るシステムの構成を示す図である。
【図２】本発明の実施形態に係る各サーバのハードウェア構成を示す図である。
【図３】本発明の実施形態に係る配信サーバおよび検索サーバの機能構成を示す図である。
【図４】本発明の実施形態に係るエコ用語テーブルを示す図である。
【図５】本発明の実施形態に係るエコページテーブルを示す図である。
【図６】本発明の実施形態に係る端末における画面表示例を示す図である。
【図７】本発明の実施形態に係る検索サーバの制御部における処理の流れを示すフローチャートである。
【図８】本発明の実施形態に係る配信サーバの制御部における処理の流れを示すフローチャートである。
【符号の説明】
【００８１】
１  システム
１０  配信サーバ
１１  特徴語抽出部
１２  エコ情報抽出部
１３  エコ情報送信部
２０  検索サーバ
２１  クロール部
２２  解析部
２３  エコ・ウェイト付与部
２４  エコ辞書ＤＢ
２５  エコページＤＢ
３０  端末
４０  コンテンツサーバ
３００  制御部
４１０  記憶装置
【図１】
2010044476.tif 000003
【図２】
2010044476.tif 000004
【図３】
2010044476.tif 000005
【図４】
2010044476.tif 000006
【図５】
2010044476.tif 000007
【図６】
2010044476.tif 000008
【図７】
2010044476.tif 000009
【図８】
2010044476.tif 000010
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
端末で閲覧されるコンテンツに関連する情報を提供するサーバであって、
前記コンテンツの特徴語を抽出する特徴語抽出手段と、
エコ分野に関する語句が含まれるＷｅｂページへのリンクデータと関連付けて、予め記憶されたエコの度合いを示すエコ・ウェイト、及び当該Ｗｅｂページの特徴語を参照する参照手段と、
前記特徴語抽出手段により抽出された特徴語と前記参照手段により参照された特徴語とが所定以上の一致度を持ち、かつ、所定値以上の前記エコ・ウェイトが付与された前記Ｗｅｂページを抽出するページ抽出手段と、
前記ページ抽出手段により抽出された前記Ｗｅｂページへのリンクデータを、前記コンテンツに付加し、前記端末へ送信する送信手段と、を備えるサーバ。
【請求項２】
前記エコ分野に関する語句と、当該語句に対するウェイトとを関連付けて記憶する語句記憶手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶された前記ウェイトを参照し、当該Ｗｅｂページに対する前記エコ・ウェイトを算出する算出手段と、
前記算出手段により算出された前記エコ・ウェイト及び前記Ｗｅｂページの特徴語を、当該Ｗｅｂページへのリンクデータと関連付けて記憶するページ記憶手段と、をさらに備える請求項１に記載のサーバ。
【請求項３】
複数の前記Ｗｅｂページを定期的に参照し、当該Ｗｅｂページのテキストデータを取得する取得手段をさらに備える請求項２に記載のサーバ。
【請求項４】
前記参照手段は、前記Ｗｅｂページの特徴語それぞれに対する重要度を示すインデキシング・ウェイトをさらに参照し、
前記ページ抽出手段は、前記一致度に基づいて算出される前記インデキシング・ウェイトの総合ポイント及び前記エコ・ウェイトに関する、所定の条件を満たす前記Ｗｅｂページを抽出することを特徴とする請求項１から請求項３のいずれかに記載のサーバ。
【請求項５】
前記送信手段は、前記Ｗｅｂページへのリンクデータと共に、当該Ｗｅｂページから抽出されたテキストデータを、当該リンクデータのタイトルとして送信することを特徴とする請求項１から請求項４のいずれかに記載のサーバ。
【請求項６】
前記送信手段は、前記Ｗｅｂページから、前記エコ分野に関する語句を含む当該語句の近辺のテキストデータを抽出して送信することを特徴とする請求項５に記載のサーバ。
【請求項７】
Ｗｅｂページを検索する検索サーバと、端末で閲覧されるコンテンツに関連する情報を提供する配信サーバと、を備えたシステムであって、
前記検索サーバは、
エコ分野に関する語句と、当該語句に対するウェイトとを関連付けて記憶する語句記憶手段と、
複数の前記Ｗｅｂページを定期的に参照し、当該Ｗｅｂページのテキストデータを取得する取得手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶された前記ウェイトを参照し、当該Ｗｅｂページにおける総合ポイントとして、エコの度合いを示すエコ・ウェイトを算出する算出手段と、
前記算出手段により算出された前記エコ・ウェイト及び前記Ｗｅｂページの特徴語を、当該Ｗｅｂページへのリンクデータと関連付けて記憶するページ記憶手段と、を備え、
前記配信サーバは、
前記コンテンツの特徴語を抽出する特徴語抽出手段と、
前記ページ記憶手段により記憶された前記エコ・ウェイト及び前記Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与された前記Ｗｅｂページを抽出するページ抽出手段と、
前記ページ抽出手段により抽出された前記Ｗｅｂページへのリンクデータを、前記コンテンツに付加し、前記端末へ送信する送信手段と、を備えるシステム。
【請求項８】
端末で閲覧されるコンテンツに関連する情報をコンピュータが提供する方法であって、
前記コンテンツの特徴語を抽出する特徴語抽出ステップと、
エコ分野に関する語句が含まれるＷｅｂページへのリンクデータと関連付けて、予め記憶されたエコの度合いを示すエコ・ウェイト、及び当該Ｗｅｂページの特徴語を参照する参照ステップと、
前記特徴語抽出ステップにより抽出された特徴語と前記参照ステップにより参照された特徴語とが所定以上の一致度を持ち、かつ、所定値以上の前記エコ・ウェイトが付与された前記Ｗｅｂページを抽出するページ抽出ステップと、
前記ページ抽出ステップにより抽出された前記Ｗｅｂページへのリンクデータを、前記コンテンツに付加し、前記端末へ送信する送信ステップと、を含む方法。
【手続補正２】
【補正対象書類名】明細書
【補正対象項目名】全文
【補正方法】変更
【補正の内容】
【発明の詳細な説明】
【技術分野】
【０００１】
本発明は、端末で閲覧されるコンテンツに関連する情報を提供するサーバ、システム及び方法に関する。
【背景技術】
【０００２】
従来、インターネットによる情報配信の形態として、例えば、入力された検索キーワードに関連する広告を検索結果ページに表示させる検索連動型広告や、Ｗｅｂページのコンテンツを解析し、コンテンツの内容に関連した広告をＷｅｂページに表示させるコンテンツマッチ型広告等のサービスが知られている。
【０００３】
このような状況において、より適切な広告配信を行うために、様々な方法が提案されている。例えば、特許文献１では、コンテンツのキーワードに加えて、クリック状況や流行等の条件に合わせて広告を提供する方法が提案されている。
【特許文献１】特開２００８−１０２１７４号公報
【発明の開示】
【発明が解決しようとする課題】
【０００４】
ところで、近年、エコ（環境保全）に関する人々の関心が急速に高まってきている。そのため、環境に優しいエコ商品や行動が推奨され、多くの人々に共通の需要として、このようなエコに関する情報の提供が望まれている。
【０００５】
しかしながら、従来のコンテンツマッチ型広告では、ユーザ個人の嗜好に連動した情報を提供するのみで、コンテンツに表れない需要に連動した情報（例えば、上記のエコに関する情報）を提供することは難しかった。
【０００６】
そこで本発明は、コンテンツに連動し、かつ、エコに関する情報を提供できるサーバ、システム及び方法を提供することを目的とする。
【課題を解決するための手段】
【０００７】
本発明では、以下のような解決手段を提供する。
【０００８】
（１）  端末で閲覧されるコンテンツに関連する情報を提供するサーバであって、
前記コンテンツの特徴語を抽出する特徴語抽出手段と、
エコ分野に関する語句が含まれるＷｅｂページへのリンクデータと関連付けて、予め記憶されたエコの度合いを示すエコ・ウェイト、及び当該Ｗｅｂページの特徴語を参照する参照手段と、
前記特徴語抽出手段により抽出された特徴語と前記参照手段により参照された特徴語とが所定以上の一致度を持ち、かつ、所定値以上の前記エコ・ウェイトが付与された前記Ｗｅｂページを抽出するページ抽出手段と、
前記ページ抽出手段により抽出された前記Ｗｅｂページへのリンクデータを、前記コンテンツに付加し、前記端末へ送信する送信手段と、を備えるサーバ。
【０００９】
このような構成によれば、当該サーバは、コンテンツの特徴語を抽出し、エコ分野に関する語句が含まれるＷｅｂページへのリンクデータと関連付けて、予め記憶されたエコの度合いを示すエコ・ウェイト、及び当該Ｗｅｂページの特徴語を参照し、抽出されたコンテンツの特徴語と参照されたＷｅｂページの特徴語とが所定以上の一致度を持ち、かつ、所定値以上のエコ・ウェイトが付与されたＷｅｂページを抽出し、抽出されたＷｅｂページへのリンクデータを、コンテンツに付加し、端末へ送信する。
【００１０】
このことにより、当該サーバは、コンテンツと特徴語が一致又は類似し、かつ、エコの度合いが高いＷｅｂページを抽出し、コンテンツに付加してユーザに提供することができる。したがって、例えば、ユーザが閲覧しているＷｅｂページ（コンテンツ）の内容に連動し、かつ、エコに関する情報（エコ商品やエコな行動等）が推薦情報として表示される。その結果、ユーザは、コンテンツに表れない暗黙の需要に応えたエコ情報を得ることができる。
【００１１】
（２）  前記エコ分野に関する語句と、当該語句に対するウェイトとを関連付けて記憶する語句記憶手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶された前記ウェイトを参照し、当該Ｗｅｂページに対する前記エコ・ウェイトを算出する算出手段と、
前記算出手段により算出された前記エコ・ウェイト及び前記Ｗｅｂページの特徴語を、当該Ｗｅｂページへのリンクデータと関連付けて記憶するページ記憶手段と、をさらに備える（１）に記載のサーバ。
【００１２】
このような構成によれば、当該サーバは、エコ分野に関する語句と、当該語句に対するウェイトとを関連付けて記憶し、Ｗｅｂページのテキストデータを解析し、当該Ｗｅｂページに含まれる語句を抽出し、抽出された語句それぞれについて、記憶されたウェイトを参照し、当該Ｗｅｂページに対するエコ・ウェイトを算出し、算出されたエコ・ウェイト及びＷｅｂページの特徴語を、当該Ｗｅｂページへのリンクデータと関連付けて記憶する。
【００１３】
このことにより、当該サーバは、エコ分野に関する語句をウェイトと共に記憶するので、Ｗｅｂページに含まれる当該語句のウェイトの積算値等により、当該Ｗｅｂページに付与されるエコ・ウェイトを算出することができる。したがって、当該サーバは、Ｗｅｂページのエコの度合いを示すエコ・ウェイトを、自動的に算出して記憶することができる。
【００１４】
（３）  複数の前記Ｗｅｂページを定期的に参照し、当該Ｗｅｂページのテキストデータを取得する取得手段をさらに備える（２）に記載のサーバ。
【００１５】
このような構成によれば、当該サーバは、複数のＷｅｂページを定期的に参照（クロール）するので、予めエコ情報の候補としてのＷｅｂページを収集し、当該Ｗｅｂページのテキストデータに基づいて、エコ・ウェイトを算出することができる。したがって、ユーザが閲覧するコンテンツに対して、即座に適切なエコ関連情報を提供できる可能性がある。
【００１６】
（４）  前記参照手段は、前記Ｗｅｂページの特徴語それぞれに対する重要度を示すインデキシング・ウェイトをさらに参照し、
前記ページ抽出手段は、前記一致度に基づいて算出される前記インデキシング・ウェイトの総合ポイント及び前記エコ・ウェイトに関する、所定の条件を満たす前記Ｗｅｂページを抽出することを特徴とする（１）から（３）のいずれかに記載のサーバ。
【００１７】
このような構成によれば、当該サーバは、Ｗｅｂページの特徴語それぞれに対する重要度を示すインデキシング・ウェイトをさらに参照し、特徴語の一致度に基づいて算出されるインデキシング・ウェイトの総合ポイント及びエコ・ウェイトに関する、所定の条件を満たすＷｅｂページを抽出する。
【００１８】
このことにより、当該サーバは、一致又は類似した特徴語のインデキシング・ウェイトを積算する等して算出された総合ポイントと、エコ・ウェイトと、に関して所定の条件を予め設定しておくことにより、この条件を満たすＷｅｂページを提供することができる。したがって、当該サーバは、コンテンツマッチによる評価と、エコ度による評価と、を適宜調整して、提供する情報の種類や優先度を設定することができる。
【００１９】
（５）  前記送信手段は、前記Ｗｅｂページへのリンクデータと共に、当該Ｗｅｂページから抽出されたテキストデータを、当該リンクデータのタイトルとして送信することを特徴とする（１）から（４）のいずれかに記載のサーバ。
【００２０】
このような構成によれば、当該サーバは、端末へ送信されるリンクデータに対して、Ｗｅｂページから抽出されたタイトル情報を付加して送信する。したがって、ユーザは、提供されたＷｅｂページの内容をすぐに把握することができるので、必要な情報を容易に選択し、詳細情報を取得できる。
【００２１】
（６）  前記送信手段は、前記Ｗｅｂページから、前記エコ分野に関する語句を含む当該語句の近辺のテキストデータを抽出して送信することを特徴とする（５）に記載のサーバ。
【００２２】
このような構成によれば、当該サーバは、端末へ送信されるリンクデータに付加されるタイトル情報として、エコ分野に関する語句を含む当該語句の近辺のテキストデータを抽出する。したがって、ユーザは、提供されたリンクが、エコに関するどのような情報であるかをすぐに把握することができる。したがって、ユーザは、必要な情報を容易に選択し、エコに関する詳細情報を取得できる。
【００２３】
（７）  Ｗｅｂページを検索する検索サーバと、端末で閲覧されるコンテンツに関連する情報を提供する配信サーバと、を備えたシステムであって、
前記検索サーバは、
エコ分野に関する語句と、当該語句に対するウェイトとを関連付けて記憶する語句記憶手段と、
複数の前記Ｗｅｂページを定期的に参照し、当該Ｗｅｂページのテキストデータを取得する取得手段と、
前記Ｗｅｂページのテキストデータを解析し、当該Ｗｅｂページに含まれる語句を抽出する解析手段と、
前記解析手段により抽出された語句それぞれについて、前記語句記憶手段により記憶された前記ウェイトを参照し、当該Ｗｅｂページにおける総合ポイントとして、エコの度合いを示すエコ・ウェイトを算出する算出手段と、
前記算出手段により算出された前記エコ・ウェイト及び前記Ｗｅｂページの特徴語を、当該Ｗｅｂページへのリンクデータと関連付けて記憶するページ記憶手段と、を備え、
前記配信サーバは、
前記コンテンツの特徴語を抽出する特徴語抽出手段と、
前記ページ記憶手段により記憶された前記エコ・ウェイト及び前記Ｗｅｂページの特徴語を参照する参照手段と、
前記特徴語抽出手段により抽出された特徴語と前記参照手段により参照された特徴語とが所定以上の一致度を持ち、かつ所定値以上の前記エコ・ウェイトが付与された前記Ｗｅｂページを抽出するページ抽出手段と、
前記ページ抽出手段により抽出された前記Ｗｅｂページへのリンクデータを、前記コンテンツに付加し、前記端末へ送信する送信手段と、を備えるシステム。
【００２４】
このような構成によれば、当該システムを運用することにより、（１）〜（３）と同様の効果が期待できる。
【００２５】
（８）  端末で閲覧されるコンテンツに関連する情報をコンピュータが提供する方法であって、
前記コンテンツの特徴語を抽出する特徴語抽出ステップと、
エコ分野に関する語句が含まれるＷｅｂページへのリンクデータと関連付けて、予め記憶されたエコの度合いを示すエコ・ウェイト、及び当該Ｗｅｂページの特徴語を参照する参照ステップと、
前記特徴語抽出ステップにより抽出された特徴語と前記参照ステップにより参照された特徴語とが所定以上の一致度を持ち、かつ、所定値以上の前記エコ・ウェイトが付与された前記Ｗｅｂページを抽出するページ抽出ステップと、
前記ページ抽出ステップにより抽出された前記Ｗｅｂページへのリンクデータを、前記コンテンツに付加し、前記端末へ送信する送信ステップと、を含む方法。
【００２６】
このような構成によれば、当該方法を実行することにより、（１）と同様の効果が期待できる。
【発明の効果】
【００２７】
本発明によれば、ユーザが閲覧するコンテンツに連動し、かつ、エコに関する情報を提供することができる。
【発明を実施するための最良の形態】
【００２８】
以下、本発明の実施形態について図を参照しながら説明する。
【００２９】
［システム全体構成］
図１は、本実施形態に係るシステム１の構成を示す図である。システム１では、本発明のサーバとしての配信サーバ１０と、検索サーバ２０と、ユーザの端末３０と、コンテンツサーバ４０と、がネットワークを介して接続されている。
【００３０】
検索サーバ２０は、コンテンツサーバ４０にて管理されているＷｅｂページにアクセスし、このＷｅｂページのエコの度合いを示す指標（エコ・ウェイト）と共に、エコ情報として、このＷｅｂページへのリンクデータを記憶する。
【００３１】
配信サーバ１０は、端末３０から、ユーザが閲覧要求を行ったＷｅｂページのコンテンツデータを受信する。そして、配信サーバ１０は、受信したコンテンツデータに関連したエコ情報を検索サーバ２０により記憶された情報から抽出し、Ｗｅｂページに付加して端末３０へ送信する。これにより、エコ・ウェイトの高い有用な情報が、自動的に配信される。
【００３２】
なお、配信サーバ１０によるコンテンツデータの受信及びエコ情報の送信は、当該コンテンツを管理する図示しないサーバを介して行われることとしてよい。
【００３３】
［ハードウェア構成］
図２は、本実施形態に係る各サーバ（配信サーバ１０及び検索サーバ２０）のハードウェア構成を示す図である。各サーバは、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。なお、ハードディスク３７０、光ディスクドライブ３８０及び半導体メモリ３９０はまとめて記憶装置４１０と呼ばれる。
【００３４】
制御部３００は、各サーバを統括的に制御する部分であり、ハードディスク３７０に記憶された各種プログラムを適宜読み出して実行することにより、上述したハードウェアと協働し、本発明に係る各種機能を実現している。
【００３５】
通信Ｉ／Ｆ３３０は、各サーバが、ネットワークを介して、他の装置と情報を送受信する場合のネットワーク・アダプタである。通信Ｉ／Ｆ３３０は、モデム、ケーブル・モデム及びイーサネット（登録商標）・アダプタを含んでよい。
【００３６】
ＢＩＯＳ３５０は、各サーバの起動時にＣＰＵ３１０が実行するブートプログラムや、各サーバのハードウェアに依存するプログラム等を記録する。
【００３７】
Ｉ／Ｏコントローラ３６０には、ハードディスク３７０、光ディスクドライブ３８０及び半導体メモリ３９０等の記憶装置４１０を接続することができる。
【００３８】
ハードディスク３７０は、本ハードウェアを各サーバとして機能させるための各種プログラム、本発明の機能を実行するプログラム及び後述するテーブル等を記憶する。なお、各サーバは、外部に別途設けたハードディスク（図示せず）を外部記憶装置として利用することもできる。
【００３９】
光ディスクドライブ３８０としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００４０】
なお、本発明でいうコンピュータとは、記憶装置、制御部等を備えた情報処理装置をいい、各サーバは、記憶装置４１０、制御部３００等を備えた情報処理装置により構成され、この情報処理装置は、本発明のコンピュータの概念に含まれる。
【００４１】
［機能構成］
図３は、本実施形態に係る配信サーバ１０及び検索サーバ２０の機能構成を示す図である。
【００４２】
配信サーバ１０は、特徴語抽出手段としての特徴語抽出部１１と、参照手段及びページ抽出手段としてのエコ情報抽出部１２と、送信手段としてのエコ情報送信部１３と、を備える（詳細は後述する）。
【００４３】
そして、検索サーバ２０の制御部３００は、取得手段としてのクロール部２１と、解析手段としての解析部２２と、算出手段としてのエコ・ウェイト付与部２３と、を備える。また、検索サーバ２０の記憶装置４１０は、語句記憶手段としてのエコ辞書ＤＢ２４と、ページ記憶手段としてのエコページＤＢ２５と、を備える。
【００４４】
クロール部２１は、インターネット上に存在する多数のコンテンツサーバ４０により公開されているＷｅｂページへ定期的にアクセスし、参照したＷｅｂページのテキストデータを取得する。なお、クロール部２１は、同一のＷｅｂページに対しても定期的にアクセスすることにより、Ｗｅｂページが更新された場合にも、更新された新しいデータを取得することができる。
【００４５】
解析部２２は、クロール部２１により取得したＷｅｂページのテキストデータを形態素解析し、このＷｅｂページに含まれる語句を抽出する。
【００４６】
エコ・ウェイト付与部２３は、解析部２２により抽出された語句それぞれについて、エコ辞書ＤＢ２４を参照し、語句毎に予め定められたウェイトを取得する。そして、エコ・ウェイト付与部２３は、このウェイトの総合ポイントとして、Ｗｅｂページに対するエコの度合いを示すエコ・ウェイトを算出して、エコページＤＢ２５に記憶する。
【００４７】
図４は、本実施形態に係るエコ辞書ＤＢ２４に格納されたエコ用語テーブルを示す図である。エコ用語テーブルには、エコ分野に関する語句（エコ用語）と関連付けて、エコの度合いを評価するウェイトが予め記憶される。
【００４８】
図５は、本実施形態に係るエコページＤＢ２５に格納されたエコページテーブルを示す図である。エコページテーブルには、ＷｅｂページへのリンクデータとしてのＵＲＬと関連付けて、Ｗｅｂページから抽出された特徴語と、Ｗｅｂページのエコ・ウェイトと、Ｗｅｂページの内容を示すタイトルと、が記憶される。
【００４９】
ここで、特徴語は、ユーザの端末３０から取得するコンテンツとのマッチングにより関連するＷｅｂページを選択するための語句である。この特徴語は、例えば、語句の出現頻度に基づく指標であるＴＦ（Ｔｅｒｍ  Ｆｒｅｑｕｅｎｃｙ）・ＩＤＦ（Ｉｎｖｅｒｓｅ  Ｄｏｃｕｍｅｎｔ  Ｆｒｅｑｕｅｎｃｙ）等に基づいて抽出されたものであってよい。
【００５０】
また、この特徴語と共に、それぞれの重要度を示すインデキシング・ウェイトが記憶される。このインデキシング・ウェイトは、上記のＴＦ・ＩＤＦ等の指標であってよく、あるいは、Ｗｅｂページ上でのフォントや位置、属性（タイトル、本文等）等に基づく値であってもよい。そして、このインデキシング・ウェイトの総合ポイントにより、コンテンツマッチの際のＷｅｂページの優先度が決定される。
【００５１】
エコ・ウェイトは、エコ用語テーブル（図４）に規定されたウェイトを、Ｗｅｂページ内での出現回数に基づいて合計した値であってよい。また、Ｗｅｂページ上でのフォントや位置、属性（タイトル、本文等）等に基づいて重み付けをした値であってもよい。
【００５２】
タイトルは、Ｗｅｂページに明示的に記載されたタイトル文字列であってもよいし、表示位置やフォント等により他と区別された文字列を抽出してもよい。また、Ｗｅｂページ中のエコ用語の近辺の文字列を抽出してもよく、このことにより、エコ分野に関するＷｅｂページ上での話題が示される。この場合、例えば、最もウェイトが大きいエコ用語の前後から所定文字数の文字列を抽出する。
【００５３】
図３に戻り、配信サーバ１０の特徴語抽出部１１は、ユーザの端末３０において閲覧要求がなされたＷｅｂページのコンテンツデータを受信し、このコンテンツデータから特徴語を抽出する。なお、特徴語は、ＴＦ・ＩＤＦ等の指標に基づいて抽出されたものであってよい。
【００５４】
エコ情報抽出部１２は、エコページＤＢ２５に記憶されたＷｅｂページ毎の特徴語及びエコ・ウェイトを参照し、特徴語抽出部１１により抽出された特徴語とのマッチングと、エコ・ウェイトの大小とに基づいて、関連したＷｅｂページを抽出する。
【００５５】
具体的には、マッチング（一致又は類似）した特徴語のインデキシング・ウェイトの総合ポイント（例えば、合計値）が所定値以上であり、かつ、エコ・ウェイトが所定値以上であるＷｅｂページを抽出することとしてよい。これにより、端末３０にて閲覧されるコンテンツに関連し、かつ、エコに関するＷｅｂページが抽出される。
【００５６】
エコ情報送信部１３は、エコ情報抽出部１２により抽出されたＷｅｂページへのリンクデータ（ＵＲＬ）をタイトルと共に、受信したコンテンツデータに付加して端末３０へ送信する。
【００５７】
図６は、本実施形態に係る端末３０における画面表示例を示す図である。端末３０では、「電話機」に関するＷｅｂページが閲覧されている。このとき、ページの下部には、コンテンツの特徴語である「電話機」によりマッチングした関連Ｗｅｂページへのリンクのリストが表示される。これらの関連Ｗｅｂページは、エコ・ウェイトの大きなものから優先的に表示されている。ユーザは、このリストから選択することにより、リンク先の関連Ｗｅｂページを閲覧することができる。
【００５８】
［処理フロー］
図７は、本実施形態に係る検索サーバ２０の制御部３００における処理の流れを示すフローチャートである。
【００５９】
ステップＳ１１では、検索サーバ２０は、コンテンツサーバ４０をクロールすることにより、Ｗｅｂページそれぞれのテキストデータを取得する。
【００６０】
ステップＳ１２では、検索サーバ２０は、ステップＳ１１にて取得したテキストデータに対して形態素解析を行い、語句に分割する。
【００６１】
ステップＳ１３では、検索サーバ２０は、ステップＳ１２にて分割された語句の中から、エコ用語テーブル（図４）に記憶されているエコ用語と、Ｗｅｂページを特徴付ける特徴語と、を抽出する。
【００６２】
ステップＳ１４では、検索サーバ２０は、ステップＳ１３にて抽出されたエコ用語それぞれに設定されたウェイトを集計して、Ｗｅｂページに付与するエコ・ウェイトを算出する。
【００６３】
ステップＳ１５では、検索サーバ２０は、ステップＳ１１にて取得したテキストデータの中から、Ｗｅｂページへのリンクのタイトルとなる情報を抽出する。
【００６４】
ステップＳ１６では、検索サーバ２０は、エコに関するページ情報として、ステップＳ１３にて抽出した特徴語、ステップＳ１４にて算出したエコ・ウェイト、及びステップＳ１５にて取得したタイトル情報と共に、Ｗｅｂページへのリンクデータ（ＵＲＬ）を記憶する。
【００６５】
図８は、本実施形態に係る配信サーバ１０の制御部３００における処理の流れを示すフローチャートである。
【００６６】
ステップＳ２１では、配信サーバ１０は、ユーザの端末３０から、閲覧要求のあったＷｅｂページのコンテンツデータを受信する。
【００６７】
ステップＳ２２では、配信サーバ１０は、ステップＳ２１にて受信したコンテンツデータの中から、コンテンツを特徴付ける特徴語を抽出する。
【００６８】
ステップＳ２３では、配信サーバ１０は、ステップＳ２２にて抽出した特徴語と、図７のステップＳ１６にて記憶されたエコに関するページ情報とのマッチングを行う。すなわち、エコページテーブル（図５）の特徴語のうち、コンテンツデータから抽出された語句とマッチング（一致又は類似）した特徴語のインデキシング・ウェイトを取得する。
【００６９】
ステップＳ２４では、配信サーバ１０は、ステップＳ２３にて取得したインデキシング・ウェイトを集計した総合ポイントを算出する。
【００７０】
ステップＳ２５では、配信サーバ１０は、ステップＳ２４にて算出したインデキシング・ウェイトの総合ポイント、及びエコ・ウェイトに関して、所定の条件を満たすＷｅｂページ（エコページ）を抽出する。
【００７１】
ステップＳ２６では、配信サーバ１０は、ステップＳ２５にて抽出したＷｅｂページ（エコページ）へのリンクを、インデキシング・ウェイトの総合ポイント又はエコ・ウェイトに基づいて順位付けする。そして、配信サーバ１０は、順位付けしたリンクを、ステップＳ２１にて受信したコンテンツデータにタイトルと共に付加し、端末３０へ送信する。
【００７２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７３】
本実施形態では、配信サーバ１０及び検索サーバ２０を備えるシステム１を説明したが、これには限られない。例えば、配信サーバ１０及び検索サーバ２０の機能を備える単一のサーバにて本発明を実現してもよい。また、配信サーバ１０又は検索サーバ２０の機能の一部を、データベースサーバやＷｅｂサーバ等、他のサーバに分散させてもよい。
【図面の簡単な説明】
【００７４】
【図１】本発明の実施形態に係るシステムの構成を示す図である。
【図２】本発明の実施形態に係る各サーバのハードウェア構成を示す図である。
【図３】本発明の実施形態に係る配信サーバ及び検索サーバの機能構成を示す図である。
【図４】本発明の実施形態に係るエコ用語テーブルを示す図である。
【図５】本発明の実施形態に係るエコページテーブルを示す図である。
【図６】本発明の実施形態に係る端末における画面表示例を示す図である。
【図７】本発明の実施形態に係る検索サーバの制御部における処理の流れを示すフローチャートである。
【図８】本発明の実施形態に係る配信サーバの制御部における処理の流れを示すフローチャートである。
【符号の説明】
【００７５】
１  システム
１０  配信サーバ
１１  特徴語抽出部
１２  エコ情報抽出部
１３  エコ情報送信部
２０  検索サーバ
２１  クロール部
２２  解析部
２３  エコ・ウェイト付与部
２４  エコ辞書ＤＢ
２５  エコページＤＢ
３０  端末
４０  コンテンツサーバ
３００  制御部
４１０  記憶装置
【手続補正４】
【補正対象書類名】図面
【補正対象項目名】図５
【補正方法】変更
【補正の内容】
【図５】
2010044476.tif 000011
【手続補正５】
【補正対象書類名】図面
【補正対象項目名】図７
【補正方法】変更
【補正の内容】
【図７】
2010044476.tif 000012
【手続補正６】
【補正対象書類名】図面
【補正対象項目名】図８
【補正方法】変更
【補正の内容】
【図８】
2010044476.tif 000013